(57)【要約】着信履歴を記憶する記憶部と、着信履歴読み出し部と、表示部と、筐体の開閉検出部と、前記開閉検出部が筐体が開いたことを検出したときに自動的に発呼する自動発呼部とを有し、着信履歴を記憶部から読み出して表示部に表示した状態で、開閉検出部が筐体が開いたことを検出すると、表示部に表示した相手先に自動的に発呼するようにした。また、筐体を開けたときに自動的に発呼する相手を、予め電話帳データとして登録されているメンバーに限定したり、電話帳データ中の一部のメンバーだけに限定したりできるようにしている。
2005009012.tif 000002
【特許請求の範囲】
【請求項１】
着信履歴を記憶する記憶部と、
着信履歴読み出し部と、
表示部と、
筐体の開閉状態を検出する開閉検出部と、
前記開閉検出部が筐体が開いたことを検出したときに自動的に発呼する自動発呼部とを有し、
着信履歴を前記記憶部から読み出して前記表示部に表示した状態で前記開閉検出部が筐体が開いたことを検出すると、前記表示部に表示した着信履歴の電話番号に自動的に発呼するように構成したことを特徴とする折り畳み式携帯電話装置。
【請求項２】
電話帳データを記憶する電話帳記憶部と、
着信した電話番号を前記電話帳記憶部に記憶してある電話帳データと照合する電話番号照合部を更に有し、
前記記憶部から読み出して前記表示部に表示している着信履歴の電話番号が前記電話帳記憶部に記憶してある電話帳データと一致することが確認された状態で前記開閉検出部が筐体が開いたことを検出すると、前記表示部に表示した着信履歴の電話番号に自動的に発呼するように構成したことを特徴とする請求項１に記載の折り畳み式携帯電話装置。
【請求項３】
筐体を開いたときに自動的に発呼する電話番号を自動発呼用電話番号として前記電話帳記憶部に登録しておくとともに、前記記憶部または前記電話帳記憶部から読み出して前記表示部に表示している電話番号を前記自動発呼用電話番号と照合する自動発呼用電話番号照合部を設け、
前記表示部に表示している電話番号が前記自動発呼用電話番号であることが確認された状態で前記開閉検出部が筐体が開いたことを検出すると、表示部に表示した電話番号に自動的に発呼するように構成したことを特徴とする請求項２に記載の折り畳み式携帯電話装置。
【請求項４】
電話帳データを記憶する電話帳記憶部と、
電話帳データ読み出し部と、
表示部と、
筐体の開閉検出部と、
前記開閉検出部が筐体が開いたことを検出したときに自動的に発呼する自動発呼部とを有し、
電話帳データを前記電話帳記憶部から読み出して前記表示部に表示した状態で前記開閉検出部が筐体が開いたことを検出すると、前記表示部に表示した電話帳データの電話番号に自動的に発呼するように構成したことを特徴とする折り畳み式携帯電話装置。
【請求項５】
筐体を開いたときに自動的に発呼する電話番号を自動発呼用電話番号として前記電話帳記憶部に登録しておくとともに、前記記憶部または前記電話帳記憶部から読み出して前記表示部に表示している電話番号を前記自動発呼用電話番号と照合する自動発呼用電話番号照合部を設け、
前記表示部に表示している電話番号が前記自動発呼用電話番号であることが確認された状態で前記開閉検出部が筐体が開いたことを検出すると、表示部に表示した電話番号に自動的に発呼するように構成したことを特徴とする請求項４に記載の折り畳み式携帯電話装置。
【発明の詳細な説明】
【技術分野】  本発明は、自動発呼機能を有する折り畳み式携帯電話装置に関する。
【背景技術】  既に一部で実用化されている折り畳み式携帯電話装置は次のような通話制御方法を備えている。この折り畳み式携帯電話装置は、筐体の開閉状態を検出する開閉検出部を有しており、筐体が閉じた状態で着信しているときに開閉検出部が筐体が開いたことを検出すると通話を開始する。また、通話中に開閉検出部が筐体が閉じたことを検出すると、この折り畳み式携帯電話装置は終話する（例えば、特開平１−８０１４５号）。
図１４は上記従来の折り畳み式携帯電話装置の着信時および終話時のタイミングチャートである。
図１４は上から順に、着信信号の有／無の状態と、筐体の開／閉の状態、通話有／無の状態を示している。図１４で筐体が閉じているときに発呼者がＡのタイミングからＣのタイミングに至る時間、例えば１０秒間だけ電話をかけてくるとして説明する。従来の折り畳み式携帯電話装置がＡのタイミングで着信を受け、着信状態が続いているＢのタイミングで折り畳み式携帯電話装置の使用者が筐体が開くと、開閉検出部が状態を検出して、折り畳み式携帯電話装置は着信状態から通話状態に切り替わる。
その後、使用者が通話中のＤのタイミングで筐体を閉じると、開閉検出部が状態を検出して終話処理を行い、通話が終了する。
このように開閉検出部が通常の電話機のフックスイッチの代わりをするので、従来の折り畳み式携帯電話装置では、使用者がいちいち筐体を開いて通話開始ボタンや終話ボタンを押さずに通話することが可能であった。
しかし、着信状態が続いているときに使用者が筐体を開かなければ通話を開始することができないため、使用者の筐体を開くタイミングが遅れたときは、既に着信が切れていたということがあった。
使用者が筐体を開くタイミングが遅れたときは、筐体を開けた状態で使用者は着信履歴を読み出し、相手を確認して、通話開始ボタンを押して電話をかけ直すという一連の操作を必要とした。
本発明は、折り畳み式携帯電話装置が筐体を閉じた状態で着信があり、使用者が筐体を開く前に着信が切れたとしても、使用者は筐体を開くだけで、表示部に表示している着信履歴の電話番号に自動的に発呼することができるという使い勝手の良い折り畳み式携帯電話装置を提供することを第一の目的としている。
また本発明は、使用者が筐体を閉じた状態で電話帳データを読み出して表示部に表示し、使用者が筐体を開くことによって表示している電話番号に自動的に発呼することができる携帯電話装置を提供することを第二の目的としている。
また本発明は、筐体を閉じた状態で折り畳み式携帯電話装置が着信した相手の着信履歴を表示したとしても、着信した相手の電話番号が折り畳み式携帯電話装置の電話帳記憶部の電話帳データに登録されていない場合には、筐体を開いても折り畳み式携帯電話装置が自動的に発呼しないようにして、見ず知らずの発呼者からの着信に対して自動的に発呼することのない折り畳み式携帯電話装置を提供することを第三の目的としている。
また本発明は、筐体を閉じた状態で着信した相手の着信履歴あるいは電話帳データを折り畳み式携帯電話装置が表示したとしても、その着信した相手の着信履歴あるいは電話帳データが、筐体を開くことによって自動的に発呼してよい相手であるとして電話帳記憶部に登録した自動発呼用電話番号でない場合には、使用者が筐体を開いても自動的に発呼しないようにした折り畳み式携帯電話装置を提供することを第四の目的としている。
【発明の開示】
本発明の折り畳み式携帯電話装置は、着信履歴を記憶する記憶部と、着信履歴読み出し部と、表示部と、筐体の開閉状態を検出する開閉検出部と、前記開閉検出部が筐体が開いたことを検出したときに自動的に発呼する自動発呼部とを有し、着信履歴を記憶部から読み出して表示部に表示した状態で開閉検出部が筐体が開いたことを検出すると、表示部に表示した着信履歴の電話番号に自動的に発呼する。
また本発明の折り畳み式携帯電話装置は、電話帳データを記憶する電話帳記憶部と、電話帳データ読み出し部と、表示部と、筐体の開閉検出部と、開閉検出部が筐体が開いたことを検出したときに自動的に発呼する自動発呼部とを有し、電話帳データを電話帳記憶部から読み出して表示部に表示した状態で開閉検出部が筐体が開いたことを検出すると、表示部に表示した電話帳データの電話番号に自動的に発呼する。
更に本発明の折り畳み式携帯電話装置は、着信履歴を記憶する記憶部と、電話帳データを記憶する電話帳記憶部と、記憶部から読み出した着信履歴の電話番号を電話帳記憶部に記憶してある電話帳データと照合する電話番号照合部とを設け、記憶部から読み出した着信履歴の電話番号が電話帳記憶部に記憶してある電話帳データと一致することが確認された状態で開閉検出部が筐体が開いたことを検出すると、表示部に表示した着信履歴の電話番号に自動的に発呼する。
そして本発明の折り畳み式携帯電話装置は、使用者が筐体を開いたときに自動的に発呼する電話番号が自動発呼用電話番号として登録された電話帳記憶部と、記憶部または電話帳記憶部から読み出されて表示部に表示されている電話番号を自動発呼用電話番号と照合する自動発呼用電話番号照合部とを有し、表示部に表示されている電話番号が自動発呼用電話番号であることが確認された状態で開閉検出部が筐体が開いたことを検出すると、表示部に表示された電話番号に自動的に発呼する。
本発明の折り畳み式携帯電話装置は、着信履歴が記憶部から読み出されて表示部に表示された状態で、開閉検出部が筐体が開いたことを検出すると、表示部に表示された着信履歴の電話番号に自動的に発呼するよう構成している。
したがって、着信中に使用者が筐体を開かなかったとしても、筐体を閉じた状態で使用者が着信履歴を見て着信した相手を確認してから筐体を開くことによって自動的に発呼することができるという利点がある。
また本発明の折り畳み式携帯電話装置は、電話帳データを電話帳記憶部から読み出して表示部に表示した状態で開閉検出部が筐体が開いたことを検出すると、表示部に表示された電話帳データの電話番号に自動的に発呼するよう構成している。
したがって、筐体を閉じた状態で使用者は電話帳データを読み出して表示し、使用者が筐体を開くことによって表示部に表示された相手に折り畳み式携帯電話装置は自動的に発呼することができるという利点がある。
更に本発明の折り畳み式携帯電話装置は、記憶部から読み出された着信履歴の電話番号が電話帳記憶部に記憶してある電話帳データであることが確認された状態で開閉検出部が筐体が開いたことを検出すると、表示部に表示された着信履歴の電話番号に自動的に発呼するよう構成している。
したがって、使用者が筐体を開くことにより見知らぬ相手からの着信に対して折り畳み式携帯電話装置が簡単に自動発呼してしまわないようにすることができる。特に、無差別に電話をかけてきたいたずら電話の電話番号を表示しているときに筐体を開けたとしても折り畳み式携帯電話装置は自動的に発呼しないという利点がある。
そして本発明の折り畳み式携帯電話装置は、記憶部または電話帳記憶部から読み出されて表示部に表示されている電話番号が自動発呼用電話番号であることが確認された状態で開閉検出部が筐体が開いたときに自動的に発呼するよう構成している。
したがって、自動発呼用電話番号として登録した電話番号に対してだけ使用者は筐体を開いて自動的に発呼でき、登録した電話番号でないときには自動的に発呼しないという使い方ができるという利点がある。
【図面の簡単な説明】  図１は本発明の実施例１の折り畳み式携帯電話装置の筐体を閉じた状態の外観図である。
図２は本発明の実施例１の折り畳み式携帯電話装置の筐体を開いた状態の外観図である。
図３は本発明の実施例１の折り畳み式携帯電話装置の断面図である。
図４は本発明の実施例１の折り畳み式携帯電話装置のブロック図である。
図５は本発明の実施例１の折り畳み式携帯電話装置の動作を示したフローチャートである。
図６は本発明の実施例１の折り畳み式携帯電話装置の筐体を閉じた状態の外観図である。
図７は本発明の実施例２の折り畳み式携帯電話装置のブロック図である。
図８は本発明の実施例２の折り畳み式携帯電話装置の筐体を閉じた状態の外観図である。
図９は本発明の実施例２の折り畳み式携帯電話装置の動作を示したフローチャートである。
図１０は本発明の実施例３の折り畳み式携帯電話装置のブロック図である。
図１１は本発明の実施例３の折り畳み式携帯電話装置の記憶部の記憶内容を示す図である。
図１２は本発明の実施例４の折り畳み式携帯電話装置の筐体を開いた状態の外観図である。
図１３は本発明の実施例４の折り畳み式携帯電話装置の筐体を閉じた状態の外観図である。
図１４は従来の折り畳み式携帯電話装置の着信時のタイミングチャートである。
図面の参照符号の一覧表
１７    第一のキー操作部
１８    全体制御部
２１    ヒンジ
２２    第一の筐体
２３    第二の筐体
１９    記憶部
２５    第一の表示部
２７    第二の表示部
４０    電話番号照合部
５０    自動発呼用電話番号照合部
１９０    無線制御部
１９１    受信部
１９２    送信部
１９３    アンテナ
２１７    第二のキー操作部
２１９    電話帳記憶部
２２１    開閉検出部
２２２    磁石
２２３    スピーカー
２２４    マイクロフォン
【発明を実施するための最良の形態】  以下、本発明の実施例について、図面を用いて説明する。
【実施例１】  以下、本発明の実施例１の折り畳み式携帯電話装置１００について、図面を参照して具体的に説明する。図１は、本発明の実施例１の折り畳み式携帯電話装置１００の筐体を閉じた状態の外観図である。図２は筐体を開いた状態の外観図である。
折り畳み式携帯電話装置１００は、図１と図２に示す通り、第一の筐体２２の上方に第二の筐体２３はヒンジ２１で開閉自在に支承されている。第一の筐体２２は、電話番号等を入力するためのテンキーなどの第一のキー操作部１７と送話器として機能するマイクロフォン２２４を有している。
また、第一の筐体２２の側面は、第二の筐体２３を閉じた状態でも外から操作することができる第二のキー操作部２１７を有している。第二の筐体２３は、受話器として機能するスピーカー２２３と第二の筐体２３の内側にカラー液晶表示装置などを用いた第一の表示部２５を、そして外側に第二の表示部２７を有している。
折り畳み式携帯電話装置１００を携行するときは、第一の筐体２２に対して第二の筐体２３を閉じて折り畳んだ形でポケットや鞄等に入れて携行する。
折り畳み式携帯電話装置１００が折り畳まれた状態で着信を受信すると、第二の筐体２３に内蔵されているスピーカー２２３が着信音を発し着信を知らせる。また、第二の筐体２３の第二の表示部２７は、電話をかけてきた相手（発呼者）の電話番号を表示する。
なお、着信した相手が折り畳み式携帯電話装置１００の電話帳記憶部に登録されている相手であり、電話番号に対応する名前や顔画像のデータが記憶されていれば、折り畳み式携帯電話装置１００は電話番号とともにあるいは電話番号の代わりに名前や顔画像を表示する。
図３は本発明の実施例１の折り畳み式携帯電話装置１００の概略断面図である。
折り畳み式携帯電話装置１００は、第一の筐体２２から延びているアームの先のヒンジ２１に、第二の筐体２３を開閉自在に支承している。第一の筐体２２は、折り畳み式携帯電話装置１００の本体基板２１５を有している。
本体基板２１５は、全体制御部１８、記憶部１９、無線部２２０の各回路や第一のキー操作部１７、マイクロフォン２２４、ホール素子等を用いた開閉検出部２２１、図示しない電話帳記憶部２１９等を実装している。
第二の筐体２３は、内側に第一の表示部２５と、開閉検出用の永久磁石２２２と、受話器として機能するスピーカー２２３を有し、外側に第二の表示部２７を有している。第一の表示部２５と第二の表示部２７の間には、照明用のバックライト９を備えている。
なお、接続用フレキシブル基板３は第一の表示部２５と第二の表示部２７を接続し、共通のドライバー回路４は第一の表示部２５と第二の表示部２７を駆動している。
第一の表示部２５と、バックライト９と、スピーカー２２３は、一部図示していないが、先端が分岐した制御用フレキシブル基板２１６にそれぞれ接続されており、制御用フレキシブル基板２１６の他端は第一の筐体２２内の本体基板２１５に接続している。
図４は上記本発明の実施例１の折り畳み式携帯電話装置１００の概略ブロック図である。
図４で破線の枠は、第一の筐体２２と第二の筐体２３をそれぞれ示す。全体制御部１８は、折り畳み式携帯電話装置１００の全体的な動作を制御する。
また、全体制御部１８は、第一の表示部２５と第二の表示部２７、開閉検出部２２１、第一のキー操作部１７、第二のキー操作部２１７、無線部２２０に接続されている。無線部２２０は、無線通信を制御する無線制御部１９０、受信部１９１、送信部１９２，アンテナ１９３から構成される。
さらに、全体制御部１８は、着信した発呼者電話番号の着信履歴等を記憶する記憶部１９、電話番号と名前そして電話番号に対応する顔画像等の電話帳データを記憶する電話帳記憶部２１９、音声処理部２３０に接続されている。
音声処理部２３０は、無線制御部１９０、着信報知器や受話器として機能するスピーカー２２３、送話器として機能するマイクロフォン２２４に接続されている。
本発明の実施例１の折り畳み式携帯電話装置１００は、使用者が第一のキー操作部１７を押すことによって、図示しない電池電源から電源が全体制御部１８と無線部２２０に供給されると、無線部２２０が、図示しない携帯電話網の基地局と制御信号を間欠送受信し、折り畳み式携帯電話装置１００は着信待ち受け状態になる。
第二の筐体が閉じているときに折り畳み式携帯電話装置１００が着信を受信すると、全体制御部１８は、着信した電話番号を記憶部１９に記憶するとともに、折り畳み式携帯電話装置１００は、着信している発呼者の電話番号を第二の筐体２３の第二の表示部２７に表示する。また、その電話番号に対応する電話帳データが電話帳記憶部２１９に存在すれば、折り畳み式携帯電話装置１００は第二の筐体２３の第二の表示部２７に、着信している発呼者の名前、顔画像を表示する。
折り畳み式携帯電話装置１００が着信を受信しているときに使用者が第二の筐体２３を開けば、開閉検知部２２１が状態を検出し折り畳み式携帯電話装置１００は通話を開始する。着信しているときに使用者が第二の筐体２３が開かなければ、折り畳み式携帯電話装置１００は第二の筐体２３の第二の表示部２７に「着信あり」と表示する。折り畳み式携帯電話装置１００が第二の筐体２を閉じた状態であって、且つ着信を受信していない状態である場合に、使用者が第二のキー操作部２１７を押すと、全体制御部１８は着信履歴を記憶部１９から読み出して第二の表示部２７に表示する。
折り畳み式携帯電話装置１００が着信履歴を複数有すれば、使用者が第二のキー操作部２１７を一回押す毎に、折り畳み式携帯電話装置１００は着信履歴データを順次表示する。
折り畳み式携帯電話装置１００が第二の表示部２７に記憶部１９から読み出した着信履歴を表示しているときに開閉検出部２２１が第二の筐体２３が開いたことを検出すると、全体制御部１８は、無線部２２０を用いて、表示していた相手の電話番号に発呼する。
また、本発明の実施例１の折り畳み式携帯電話装置１００は、筐体を閉じた状態で使用者が第二のキー操作部２１７を押して電話帳記憶部２１９から電話帳データを読み出し、第二の筐体２３の第二の表示部２７に表示する。
折り畳み式携帯電話装置１００が電話帳データを複数有すれば、使用者が第二のキー操作部２１７を一回押す毎に、折り畳み式携帯電話装置１００は電話帳のデータを順送りして表示する。そして、希望する相手が折り畳み式携帯電話装置１００に表示されたときに、使用者が第二の筐体２３を開くと、折り畳み式携帯電話装置１００は自動的に表示された相手の電話番号に発呼する。
図５は折り畳み式携帯電話装置１００が第二の筐体２３を閉じた状態で、着信する動作と発呼する動作を示すフローチャートである。
使用者が折り畳み式携帯電話装置１００の電源を入れると、無線部２２０が起動し、折り畳み式携帯電話装置１００は図示しない基地局との間で制御信号の間欠受信を行い、着信待ち受け状態になる（ステップＳ１）。
第二の筐体２３が閉じているときに折り畳み式携帯電話装置１００が着信を受信すると、スピーカー２２３は着信音を発し、折り畳み式携帯電話装置１００は第二の表示部２７に着信した発呼者電話番号などの着信表示をする（ステップＳ２）。
使用者が第二の筐体２３を開くと（ステップＳ３）、開閉検出部２２１は第二の筐体２３が開いたことを検出し、全体制御部１８は、無線制御部１９０に通話を開始させる（ステップＳ４）。
相手が終話するか、使用者が折り畳み式携帯電話装置１００の第二の筐体２３を閉じると終話し（ステップＳ５）、折り畳み式携帯電話装置１００はステップＳ１の着信待ち受け状態に戻る。
ステップＳ２で折り畳み式携帯電話装置１００が着信を受信しないときに、使用者が第二のキー操作部２１７を用いて、第二の表示部２７が電話帳データを表示するモードを選択すると（ステップＳ６）、電話帳記憶部２１９から電話帳データが読み出されて、第二の表示部２７に電話番号、名前、顔画像等の電話帳データが表示される（ステップＳ７）。
折り畳み式携帯電話装置１００が電話帳データを複数記憶しているときは、使用者が第二のキー操作部２１７を押す毎に電話帳データが順送りされる形で次々と表示されるので、第二の表示部２７に発呼したい相手が表示されるまで使用者は第二のキー操作部２１７を押す。
折り畳み式携帯電話装置１００が発呼したい相手を表示した状態で、使用者が第二の筐体２３を開くと（ステップＳ８）、開閉検出部２２１が第二の筐体２３が開いたことを検知して、全体制御部１８は、無線制御部１９０に、表示していた電話帳データの電話番号に自動的に発呼する制御を行う（ステップＳ９）。
相手が電話に出れば、折り畳み式携帯電話装置１００は通話が始まる（ステップＳ４）。折り畳み式携帯電話装置１００は終話操作がなされれば（ステップＳ５）、ステップＳ１の着信待ち受け状態に戻る。
図５のフローチャートのステップＳ２で折り畳み式携帯電話装置１００が着信を受信したきに、使用者が第二の筐体２３を開かず着信に応答しないと（ステップＳ３）、全体制御部１８は、第二の表示部２７に「着信あり」の表示を行う（ステップＳ１０）。
折り畳み式携帯電話装置１００が「着信あり」の表示をしているときに使用者が第二のキー操作部２１７を押すと、全体制御部１８は、第二の表示部２７に着信履歴を表示する（ステップＳ１１）。
折り畳み式携帯電話装置１００は、第二の表示部２７に、記憶部１９から読み出された着信した電話番号、着信した相手の名前または顔画像等の着信履歴を表示する（ステップＳ１２）。
折り畳み式携帯電話装置１００が着信履歴を表示しているときに、開閉検出部２２１が第二の筐体２３が開いたことを検出すると（ステップＳ１３）、折り畳み式携帯電話装置１００は表示している着信履歴の電話番号に発呼する（ステップＳ１４）。
このように、第二の筐体２３を閉じた状態で使用者が着信に応答しなかったとしても、第二の筐体２３を閉じたまま、使用者が第二のキー操作部２１７を押して、着信した相手の電話番号等の着信履歴を第二の表示部２７に表示してまず確認し、その後第二の筐体２３を開くという操作で簡単に電話をかけ直すことができる。
なお、着信した相手の電話番号、名前または顔画像を表示して相手を確認した結果、使用者は電話をかけ直さない場合もあることから、折り畳み式携帯電話装置１００が着信履歴を表示している状態で、使用者が第二のキー操作部２１７を所定時間、例えば１秒間、長押し操作することにより、図６のように着信した相手に自動的に発呼するか否かを使用者が選択できる選択画面を、折り畳み式携帯電話装置１００は第二の表示部２７に表示する。
そして、使用者が第二のキー操作部２１７を再び押すことにより、カーソル枠２８を自動発呼する側（ＹＥＳ）あるいは自動発呼をキャンセルする側（ＮＯ）に切り替えて、そのまま長押しすることにより、第二の筐体２３を閉じたまま折り畳み式携帯電話装置１００が自動的に発呼するのを個別的にキャンセルするようにしてもよい。
【実施例２】  次に、本発明の実施例２の折り畳み式携帯電話装置２００について、説明する。
図７は本発明の実施例２の折り畳み式携帯電話装置２００のブロック図である。
折り畳み式携帯電話装置２００は、図４で示した実施例１の構成に加えてさらに電話番号照合部４０を備えている。電話番号照合部４０は全体制御部１８の中に組み入れられた構成としても良いが、機能と構成を明確に説明するため、独立した機能ブロックとして示している。
なお、折り畳み式携帯電話装置２００の外観は既に説明した実施例１の折り畳み式携帯電話装置１００と同じであるので説明を省略する。
電話番号照合部４０は、折り畳み式携帯電話装置２００が着信を受信して表示部に表示している電話番号が電話帳記憶部２１９の電話帳データとして登録されているか対比して照合し、あるいは使用者が電話帳データを１件づつ読み出して表示部に表示している電話番号と対比して照合し、照合結果を全体制御部１８に伝える。
そして全体制御部１８は、着信した電話番号が電話帳データと一致するときは、折り畳み式携帯電話装置２００は、着信した電話番号が登録したメンバーからの着信であり自動発呼できることを示す図８のような表示と着信履歴の表示を交互に表示する。図８の表示または着信履歴の表示がされている状態で使用者が第二の筐体２３を開くと、折り畳み式携帯電話装置２００は表示した着信履歴の電話番号に自動的に発呼する。
なお、着信した電話番号が電話帳記憶部２１９の電話帳データと一致しないときは、折り畳み式携帯電話装置２００は図８の表示を行わず、使用者が第二の筐体２３を開いても自動的に発呼しないようにしている。
図９は本発明の実施例２の折り畳み式携帯電話装置２００の動作を示すフローチャートである。
なお、図５で示した本発明の実施例１のフローチャートと同じステップについては、同じステップ番号を表示して説明を省略する。
図９において、着信待ち受け状態で（ステップＳ１）、折り畳み式携帯電話装置２００が着信を受信したときに（ステップＳ２）、第二の筐体２３を開けずに使用者が着信に応答しないと（ステップＳ３）、着信した発呼者の電話番号は記憶部１９に記憶され、折り畳み式携帯電話装置２００は第二の表示部２７に「着信あり」の表示を行なう（ステップＳ１０）。
折り畳み式携帯電話装置２００が「着信あり」の表示をした状態で使用者が第二のキー操作部２１７を押すと、折り畳み式携帯電話装置２００は着信履歴を表示する指示を行なう（ステップＳ１１）。
そして、折り畳み式携帯電話装置２００は第二の表示部２７に着信した電話番号、着信した相手の名前または顔画像等の着信履歴を表示する（ステップＳ１２）。
折り畳み式携帯電話装置２００が着信した相手の電話番号を表示すると、全体制御部１８は電話番号照合部４０を用いて、表示している着信した相手の電話番号が折り畳み式携帯電話装置２００の電話帳記憶部２１９の電話帳データに登録されているかを照合する（ステップＳ１５）。
着信した相手の電話番号が電話帳データとして登録されていると、既に示した図８のように、折り畳み式携帯電話装置２００は、第二の表示部２７に、電話帳データに登録された登録メンバーからの着信であることを表示するとともに、このまま使用者が第二の筐体２３が開くと自動発呼する旨のメッセージを着信履歴と交互に表示する（ステップＳ１６）。
この状態で使用者が第二の筐体２３を開くと（ステップＳ１７）、折り畳み式携帯電話装置２００は表示していた着信履歴の電話番号に自動的に発呼する（ステップＳ１８）。
ステップＳ１７で第二の筐体２３を閉じたまま、使用者が第二のキー操作部２１７を用いて、自動発呼をキャンセルすると（ステップＳ１９）、折り畳み式携帯電話装置２００はステップＳ１の着信待ち受け状態に戻る。
本発明の実施例２の折り畳み式携帯電話装置２００は、第二の筐体２３を閉じた状態で着信履歴を表示すると、表示している電話番号が電話帳データに登録されているかどうかを電話番号照合部４０で照合して結果を提示する。
そして登録されていない着信相手であるときは、使用者が筐体を開いても折り畳み式携帯電話装置２００が自動発呼しないようにしているので、電話帳データに登録されていない相手に不用意に電話をかけてしまうことがないという利点がある。
【実施例３】  次に、本発明の実施例３の折り畳み式携帯電話装置３００について説明する。
図１０は本発明の実施例３の折り畳み式携帯電話装置３００を示すブロック図である。
折り畳み式携帯電話装置３００の外観は既に説明した実施例１の折り畳み式携帯電話装置１００と同じであるので、外観図とその説明は省略する。折り畳み式携帯電話装置３００は、実施例２の折り畳み式携帯電話装置２００の電話番号照合部４０の代わりに自動発呼用電話番号照合部５０を有している。
なお、全体制御部１８が自動発呼用電話番号照合部５０をその中に組み入れた構成としても良い。
自動発呼用電話番号照合部５０は、表示部に表示している電話番号が電話帳記憶部２１９の電話帳データの中の自動発呼用電話番号、すなわち使用者が筐体を開けたときに自動的に発呼して良い電話番号として登録されているかどうかを照合し、照合結果を全体制御部１８に伝える。
図１１は、本発明の実施例３の折り畳み式携帯電話装置３００の電話帳記憶部２１９に記憶された記憶内容の概念図である。
電話帳記憶部２１９は、記憶テーブル６０のアドレス６１毎に電話番号６２と、名前６３と、顔画像６４と、自動発呼可否情報６５とをワンセットのデータとして記憶する。
図１１では、使用者が予め筐体２３を開いたときに自動的に発呼して良い電話番号について、自動発呼用電話番号として○マークを付す。使用者が筐体２３を開いたときに自動的に発呼しない電話番号、例えば迷惑電話として登録された電話番号等には自動発呼しないことを示す×マークを付す。
迷惑電話の電話番号を電話帳データとして記憶してあるのは、予め迷惑電話として登録した電話番号からの着信があったときに折り畳み式携帯電話装置３００が着信を自動的に拒否する、いわゆる電話帳を用いた着信拒否機能のためである。
本発明の実施例３の折り畳み式携帯電話装置３００では、使用者が筐体を開くことによって折り畳み式携帯電話装置３００は自動発呼用電話番号に対してのみ自動発呼し、迷惑電話等の自動発呼用電話番号でない電話番号に対して自動的に発呼しないようにしている。
折り畳み式携帯電話装置３００が着信を受信すると、自動発呼用電話番号照合部５０は、着信した電話番号が筐体を開くことによって自動的に発呼してよい相手であるとして登録されているか否かを照合する。
着信した電話番号が自動発呼可の○マークの付された相手であれば、既に示した図８のように、折り畳み式携帯電話装置３００は、着信した電話番号が自動発呼可として登録されているメンバーであることを第二の表示部２７に表示する。そして、使用者が筐体２３が開くと折り畳み式携帯電話装置３００は自動的に発呼する。
上記の迷惑電話のように、着信した電話番号が自動発呼しない×マークの付いている相手のときは、使用者が筐体２３を開いても折り畳み式携帯電話装置３００は発呼しない。
このように、電話帳データに記憶されている電話番号の中で自動発呼可能とした自動発呼用電話番号についてだけ、使用者が筐体２３を開ける操作で折り畳み式携帯電話装置３００は自動的に発呼し、自動発呼用電話番号でない電話番号については、使用者が筐体２３を開けても折り畳み式携帯電話装置３００は自動的に発呼しない。
なお、上記の説明では、折り畳み式携帯電話装置３００が着信履歴を表示して自動的に発呼する場合を説明した。しかし、折り畳み式携帯電話装置３００が電話帳データを表示して自動的に発呼する場合は、自動発呼用電話番号照合部５０は表示部に表示している電話番号が自動発呼用電話番号かどうかをチェックし、自動発呼用電話番号のときだけ、使用者が筐体２３が開ける操作で自動的に発呼し、自動発呼用電話番号でないときは使用者が筐体２３を開けても自動的に発呼しないようにすることができる。
【実施例４】  次に、本発明の実施例４の折り畳み式携帯電話装置４００について説明する。
図１２は本発明の実施例４の折り畳み式携帯電話装置４００の外観図である。
折り畳み式携帯電話装置４００は、回転軸４１を有する第一の筐体４２と、回転軸４１を回転中心として、Ｅ矢印のように水平方向に回転する第二の筐体４３とを備えている。回転軸４１の中には図示しない開閉検出部を有し、開閉検出部は第二の筐体４３が開いているのか閉じているのかを検出する。
第二の筐体４３を第一の筐体４２の上に重ねても使用者は表示部４５を外部から見ることができるので、第二の筐体４３は第二の表示部を備えていない。
図１３は第二の筐体４３を回転して、第一の筐体４２の上に重ねた状態の外観図である。
なお、折り畳み式携帯電話装置４００の内部の構成は第二の筐体４３が一つの表示部４５しか有していない以外は、既に説明した実施例１ないし実施例３とほぼ同じであるので説明を省略する。
また、第一のキー操作部１７、スピーカー２２３、マイクロフォン２２４等の各構成部分も既に説明した実施例１ないし実施例３と同じであることから、同一の部分については、同一の番号を付して説明を省略する。
実施例４の折り畳み式携帯電話装置４００によれば、図１３のように、第二の筐体４３が閉じられた状態で折り畳み式携帯電話装置４００が着信を受信すると、折り畳み式携帯電話装置４００は着信した発呼者の電話番号を表示部４５に表示する。
さらに、折り畳み式携帯電話装置４００は、着信した発呼者の電話番号が電話帳記憶部に予め登録してある電話番号か否かを照合し、登録してある電話番号と一致すれば登録してあることを示す表示を表示部２５で行い、使用者が第二の筐体４３を開くと自動的に発呼する。
なお、折り畳み式携帯電話装置４００が図１３に示す表示をしているときに、使用者が第二のキー操作部２１７を用いて、カーソル枠を「発呼」から「キャンセル」に移して、使用者が第二の筐体４３を開いても折り畳み式携帯電話装置４００が発呼しないようにしてもよい。
このように第一の筐体４２の上を第二の筐体４３が水平回転するタイプの折り畳み式携帯電話装置であっても本発明を適用することができる。
また実施例１から実施例４では、開閉動作を回転によって実現した折り畳み式携帯電話装置を説明した。しかし、第一の筐体の上に第二の筐体をスライドさせる、いわゆるスライドタイプの携帯電話装置にも、折り畳み式携帯電話装置の一態様として本発明を適用することができる。スライドタイプの携帯電話装置の開閉検出部は、第一の筐体に対する第二の筐体の重なりの状態を検出して開閉を検出する。
なお、上記の説明では、開閉検出部は、永久磁石２２２の接近を検出するホール素子２２１で構成される例を示した。しかし、第一の筐体２２に対して閉じている第二の筐体２３をヒンジ２１に内蔵したコイルバネのバネ力をボタンによって開放して第一の筐体２２と第二の筐体２３とが自動的に開閉するようにした折り畳み式携帯電話装置や、開閉用の駆動モーターで閉じていた第二の筐体２３を自動的に開くようにした折り畳み式携帯電話装置では、永久磁石２２２の接近を検出するホール素子２２１の代わりに、コイルバネのバネ力を解除するボタンや、開閉用の駆動モーターを動作させるスイッチを開閉検出部として用いることができる。
【産業上の利用可能性】  以上のように、本発明は、着信履歴または電話帳の電話番号が読み出されて表示されている状態において、簡単な操作で自動的に発呼する折り畳み式携帯電話装置に適用できる。
また、電話帳に登録されていない電話番号や、電話帳に登録されていても自動発呼する対象から除外されている電話番号については自動発呼しないように制限することができる折り畳み式携帯電話装置に適用することができる。
【図１】
2005009012.tif 000003
【図２】
2005009012.tif 000004
【図３】
2005009012.tif 000005
【図４】
2005009012.tif 000006
【図５】
2005009012.tif 000007
【図６】
2005009012.tif 000008
【図７】
2005009012.tif 000009
【図８】
2005009012.tif 000010
【図９】
2005009012.tif 000011
【図１０】
2005009012.tif 000012
【図１１】
2005009012.tif 000013
【図１２】
2005009012.tif 000014
【図１３】
2005009012.tif 000015
【図１４】
2005009012.tif 000016
【手続補正書】
【提出日】平成16年12月16日(2004.12.16)
【手続補正１】
【補正対象書類名】特許請求の範囲
【補正対象項目名】全文
【補正方法】変更
【補正の内容】
【特許請求の範囲】
【請求項１】
着信履歴を記憶する記憶部と、
着信履歴読み出し部と、
表示部と、
筐体の開閉状態を検出する開閉検出部と、
前記開閉検出部が筐体が開いたことを検出したときに自動的に発呼する自動発呼部とを有し、
着信履歴を前記記憶部から読み出して前記表示部に表示した状態で前記開閉検出部が筐体が開いたことを検出すると、前記表示部に表示した着信履歴の電話番号に自動的に発呼するように構成したことを特徴とする折り畳み式携帯電話装置。
【請求項２】
電話帳データを記憶する電話帳記憶部と、
着信した電話番号を前記電話帳記憶部に記憶してある電話帳データと照合する電話番号照合部を更に有し、
前記記憶部から読み出して前記表示部に表示している着信履歴の電話番号が前記電話帳記憶部に記憶してある電話帳データと一致することが確認された状態で前記開閉検出部が筐体が開いたことを検出すると、前記表示部に表示した着信履歴の電話番号に自動的に発呼するように構成したことを特徴とする請求項１に記載の折り畳み式携帯電話装置。
【請求項３】
筐体を開いたときに自動的に発呼する電話番号を自動発呼用電話番号として前記電話帳記憶部に登録しておくとともに、前記記憶部または前記電話帳記憶部から読み出して前記表示部に表示している電話番号を前記自動発呼用電話番号と照合する自動発呼用電話番号照合部を設け、
前記表示部に表示している電話番号が前記自動発呼用電話番号であることが確認された状態で前記開閉検出部が筐体が開いたことを検出すると、表示部に表示した電話番号に自動的に発呼するように構成したことを特徴とする請求項２に記載の折り畳み式携帯電話装置。
【請求項４】
電話帳データを記憶する電話帳記憶部と、
電話帳データ読み出し部と、
表示部と、
筐体の開閉検出部と、
前記開閉検出部が筐体が開いたことを検出したときに自動的に発呼する自動発呼部とを有し、
電話帳データを前記電話帳記憶部から読み出して前記表示部に表示した状態で前記開閉検出部が筐体が開いたことを検出すると、前記表示部に表示した電話帳データの電話番号に自動的に発呼するように構成したことを特徴とする折り畳み式携帯電話装置。
【請求項５】
筐体を開いたときに自動的に発呼する電話番号を自動発呼用電話番号として前記電話帳記憶部に登録しておくとともに、前記記憶部または前記電話帳記憶部から読み出して前記表示部に表示している電話番号を前記自動発呼用電話番号と照合する自動発呼用電話番号照合部を設け、
前記表示部に表示している電話番号が前記自動発呼用電話番号であることが確認された状態で前記開閉検出部が筐体が開いたことを検出すると、表示部に表示した電話番号に自動的に発呼するように構成したことを特徴とする請求項４に記載の折り畳み式携帯電話装置。
【手続補正２】
【補正対象書類名】明細書
【補正対象項目名】全文
【補正方法】変更
【補正の内容】
【書類名】明細書
【技術分野】
【０００１】
本発明は、自動発呼機能を有する折り畳み式携帯電話装置に関する。
【背景技術】
【０００２】
既に一部で実用化されている折り畳み式携帯電話装置は次のような通話制御方法を備えている。この折り畳み式携帯電話装置は、筐体の開閉状態を検出する開閉検出部を有しており、筐体が閉じた状態で着信しているときに開閉検出部が筐体が開いたことを検出すると通話を開始する。また、通話中に開閉検出部が筐体が閉じたことを検出すると、この折り畳み式携帯電話装置は終話する（例えば、特開平１−８０１４５号）。
【０００３】
図１４は上記従来の折り畳み式携帯電話装置の着信時および終話時のタイミングチャートである。
【０００４】
図１４は上から順に、着信信号の有／無の状態と、筐体の開／閉の状態、通話有／無の状態を示している。図１４で筐体が閉じているときに発呼者がＡのタイミングからＣのタイミングに至る時間、例えば１０秒間だけ電話をかけてくるとして説明する。従来の折り畳み式携帯電話装置がＡのタイミングで着信を受け、着信状態が続いているＢのタイミングで折り畳み式携帯電話装置の使用者が筐体が開くと、開閉検出部が状態を検出して、折り畳み式携帯電話装置は着信状態から通話状態に切り替わる。
【０００５】
その後、使用者が通話中のＤのタイミングで筐体を閉じると、開閉検出部が状態を検出して終話処理を行い、通話が終了する。
【０００６】
このように開閉検出部が通常の電話機のフックスイッチの代わりをするので、従来の折り畳み式携帯電話装置では、使用者がいちいち筐体を開いて通話開始ボタンや終話ボタンを押さずに通話することが可能であった。
【０００７】
しかし、着信状態が続いているときに使用者が筐体を開かなければ通話を開始することができないため、使用者の筐体を開くタイミングが遅れたときは、既に着信が切れていたということがあった。
【０００８】
使用者が筐体を開くタイミングが遅れたときは、筐体を開けた状態で使用者は着信履歴を読み出し、相手を確認して、通話開始ボタンを押して電話をかけ直すという一連の操作を必要とした。
【０００９】
本発明は、折り畳み式携帯電話装置が筐体を閉じた状態で着信があり、使用者が筐体を開く前に着信が切れたとしても、使用者は筐体を開くだけで、表示部に表示している着信履歴の電話番号に自動的に発呼することができるという使い勝手の良い折り畳み式携帯電話装置を提供することを第一の目的としている。
【００１０】
また本発明は、使用者が筐体を閉じた状態で電話帳データを読み出して表示部に表示し、使用者が筐体を開くことによって表示している電話番号に自動的に発呼することができる携帯電話装置を提供することを第二の目的としている。
【００１１】
また本発明は、筐体を閉じた状態で折り畳み式携帯電話装置が着信した相手の着信履歴を表示したとしても、着信した相手の電話番号が折り畳み式携帯電話装置の電話帳記憶部の電話帳データに登録されていない場合には、筐体を開いても折り畳み式携帯電話装置が自動的に発呼しないようにして、見ず知らずの発呼者からの着信に対して自動的に発呼することのない折り畳み式携帯電話装置を提供することを第三の目的としている。
【００１２】
また本発明は、筐体を閉じた状態で着信した相手の着信履歴あるいは電話帳データを折り畳み式携帯電話装置が表示したとしても、その着信した相手の着信履歴あるいは電話帳データが、筐体を開くことによって自動的に発呼してよい相手であるとして電話帳記憶部に登録した自動発呼用電話番号でない場合には、使用者が筐体を開いても自動的に発呼しないようにした折り畳み式携帯電話装置を提供することを第四の目的としている。
【発明の開示】
【００１３】
本発明の折り畳み式携帯電話装置は、着信履歴を記憶する記憶部と、着信履歴読み出し部と、表示部と、筐体の開閉状態を検出する開閉検出部と、前記開閉検出部が筐体が開いたことを検出したときに自動的に発呼する自動発呼部とを有し、着信履歴を記憶部から読み出して表示部に表示した状態で開閉検出部が筐体が開いたことを検出すると、表示部に表示した着信履歴の電話番号に自動的に発呼する。
【００１４】
また本発明の折り畳み式携帯電話装置は、電話帳データを記憶する電話帳記憶部と、電話帳データ読み出し部と、表示部と、筐体の開閉検出部と、開閉検出部が筐体が開いたことを検出したときに自動的に発呼する自動発呼部とを有し、電話帳データを電話帳記憶部から読み出して表示部に表示した状態で開閉検出部が筐体が開いたことを検出すると、表示部に表示した電話帳データの電話番号に自動的に発呼する。
【００１５】
更に本発明の折り畳み式携帯電話装置は、着信履歴を記憶する記憶部と、電話帳データを記憶する電話帳記憶部と、記憶部から読み出した着信履歴の電話番号を電話帳記憶部に記憶してある電話帳データと照合する電話番号照合部とを設け、記憶部から読み出した着信履歴の電話番号が電話帳記憶部に記憶してある電話帳データと一致することが確認された状態で開閉検出部が筐体が開いたことを検出すると、表示部に表示した着信履歴の電話番号に自動的に発呼する。
【００１６】
そして本発明の折り畳み式携帯電話装置は、使用者が筐体を開いたときに自動的に発呼する電話番号が自動発呼用電話番号として登録された電話帳記憶部と、記憶部または電話帳記憶部から読み出されて表示部に表示されている電話番号を自動発呼用電話番号と照合する自動発呼用電話番号照合部とを有し、表示部に表示されている電話番号が自動発呼用電話番号であることが確認された状態で開閉検出部が筐体が開いたことを検出すると、表示部に表示された電話番号に自動的に発呼する。
【００１７】
本発明の折り畳み式携帯電話装置は、着信履歴が記憶部から読み出されて表示部に表示された状態で、開閉検出部が筐体が開いたことを検出すると、表示部に表示された着信履歴の電話番号に自動的に発呼するよう構成している。
【００１８】
したがって、着信中に使用者が筐体を開かなかったとしても、筐体を閉じた状態で使用者が着信履歴を見て着信した相手を確認してから筐体を開くことによって自動的に発呼することができるという利点がある。
【００１９】
また本発明の折り畳み式携帯電話装置は、電話帳データを電話帳記憶部から読み出して表示部に表示した状態で開閉検出部が筐体が開いたことを検出すると、表示部に表示された電話帳データの電話番号に自動的に発呼するよう構成している。
【００２０】
したがって、筐体を閉じた状態で使用者は電話帳データを読み出して表示し、使用者が筐体を開くことによって表示部に表示された相手に折り畳み式携帯電話装置は自動的に発呼することができるという利点がある。
【００２１】
更に本発明の折り畳み式携帯電話装置は、記憶部から読み出された着信履歴の電話番号が電話帳記憶部に記憶してある電話帳データであることが確認された状態で開閉検出部が筐体が開いたことを検出すると、表示部に表示された着信履歴の電話番号に自動的に発呼するよう構成している。
【００２２】
したがって、使用者が筐体を開くことにより見知らぬ相手からの着信に対して折り畳み式携帯電話装置が簡単に自動発呼してしまわないようにすることができる。特に、無差別に電話をかけてきたいたずら電話の電話番号を表示しているときに筐体を開けたとしても折り畳み式携帯電話装置は自動的に発呼しないという利点がある。
【００２３】
そして本発明の折り畳み式携帯電話装置は、記憶部または電話帳記憶部から読み出されて表示部に表示されている電話番号が自動発呼用電話番号であることが確認された状態で開閉検出部が筐体が開いたときに自動的に発呼するよう構成している。
【００２４】
したがって、自動発呼用電話番号として登録した電話番号に対してだけ使用者は筐体を開いて自動的に発呼でき、登録した電話番号でないときには自動的に発呼しないという使い方ができるという利点がある。
【発明の効果】
【００２５】
以上のように、本発明は、着信履歴または電話帳の電話番号が読み出されて表示されている状態において、簡単な操作で自動的に発呼する折り畳み式携帯電話装置に適用できる。
【００２６】
また、電話帳に登録されていない電話番号や、電話帳に登録されていても自動発呼する対象から除外されている電話番号については自動発呼しないように制限することができる折り畳み式携帯電話装置に適用することができる。
【発明を実施するための最良の形態】
【００２７】
以下、本発明の実施例について、図面を用いて説明する。
【実施例１】
【００２８】
以下、本発明の実施例１の折り畳み式携帯電話装置１００について、図面を参照して具体的に説明する。図１は、本発明の実施例１の折り畳み式携帯電話装置１００の筐体を閉じた状態の外観図である。図２は筐体を開いた状態の外観図である。
【００２９】
折り畳み式携帯電話装置１００は、図１と図２に示す通り、第一の筐体２２の上方に第二の筐体２３はヒンジ２１で開閉自在に支承されている。第一の筐体２２は、電話番号等を入力するためのテンキーなどの第一のキー操作部１７と送話器として機能するマイクロフォン２２４を有している。
【００３０】
また、第一の筐体２２の側面は、第二の筐体２３を閉じた状態でも外から操作することができる第二のキー操作部２１７を有している。第二の筐体２３は、受話器として機能するスピーカー２２３と第二の筐体２３の内側にカラー液晶表示装置などを用いた第一の表示部２５を、そして外側に第二の表示部２７を有している。
【００３１】
折り畳み式携帯電話装置１００を携行するときは、第一の筐体２２に対して第二の筐体２３を閉じて折り畳んだ形でポケットや鞄等に入れて携行する。
【００３２】
折り畳み式携帯電話装置１００が折り畳まれた状態で着信を受信すると、第二の筐体２３に内蔵されているスピーカー２２３が着信音を発し着信を知らせる。また、第二の筐体２３の第二の表示部２７は、電話をかけてきた相手（発呼者）の電話番号を表示する。
【００３３】
なお、着信した相手が折り畳み式携帯電話装置１００の電話帳記憶部に登録されている相手であり、電話番号に対応する名前や顔画像のデータが記憶されていれば、折り畳み式携帯電話装置１００は電話番号とともにあるいは電話番号の代わりに名前や顔画像を表示する。
【００３４】
図３は本発明の実施例１の折り畳み式携帯電話装置１００の概略断面図である。
【００３５】
折り畳み式携帯電話装置１００は、第一の筐体２２から延びているアームの先のヒンジ２１に、第二の筐体２３を開閉自在に支承している。第一の筐体２２は、折り畳み式携帯電話装置１００の本体基板２１５を有している。
【００３６】
本体基板２１５は、全体制御部１８、記憶部１９、無線部２２０の各回路や第一のキー操作部１７、マイクロフォン２２４、ホール素子等を用いた開閉検出部２２１、図示しない電話帳記憶部２１９等を実装している。
【００３７】
第二の筐体２３は、内側に第一の表示部２５と、開閉検出用の永久磁石２２２と、受話器として機能するスピーカー２２３を有し、外側に第二の表示部２７を有している。第一の表示部２５と第二の表示部２７の間には、照明用のバックライト９を備えている。
【００３８】
なお、接続用フレキシブル基板３は第一の表示部２５と第二の表示部２７を接続し、共通のドライバー回路４は第一の表示部２５と第二の表示部２７を駆動している。
【００３９】
第一の表示部２５と、バックライト９と、スピーカー２２３は、一部図示していないが、先端が分岐した制御用フレキシブル基板２１６にそれぞれ接続されており、制御用フレキシブル基板２１６の他端は第一の筐体２２内の本体基板２１５に接続している。
【００４０】
図４は上記本発明の実施例１の折り畳み式携帯電話装置１００の概略ブロック図である。
【００４１】
図４で破線の枠は、第一の筐体２２と第二の筐体２３をそれぞれ示す。全体制御部１８は、折り畳み式携帯電話装置１００の全体的な動作を制御する。
【００４２】
また、全体制御部１８は、第一の表示部２５と第二の表示部２７、開閉検出部２２１、第一のキー操作部１７、第二のキー操作部２１７、無線部２２０に接続されている。無線部２２０は、無線通信を制御する無線制御部１９０、受信部１９１、送信部１９２，アンテナ１９３から構成される。
【００４３】
さらに、全体制御部１８は、着信した発呼者電話番号の着信履歴等を記憶する記憶部１９、電話番号と名前そして電話番号に対応する顔画像等の電話帳データを記憶する電話帳記憶部２１９、音声処理部２３０に接続されている。
【００４４】
音声処理部２３０は、無線制御部１９０、着信報知器や受話器として機能するスピーカー２２３、送話器として機能するマイクロフォン２２４に接続されている。
【００４５】
本発明の実施例１の折り畳み式携帯電話装置１００は、使用者が第一のキー操作部１７を押すことによって、図示しない電池電源から電源が全体制御部１８と無線部２２０に供給されると、無線部２２０が、図示しない携帯電話網の基地局と制御信号を間欠送受信し、折り畳み式携帯電話装置１００は着信待ち受け状態になる。
【００４６】
第二の筐体が閉じているときに折り畳み式携帯電話装置１００が着信を受信すると、全体制御部１８は、着信した電話番号を記憶部１９に記憶するとともに、折り畳み式携帯電話装置１００は、着信している発呼者の電話番号を第二の筐体２３の第二の表示部２７に表示する。また、その電話番号に対応する電話帳データが電話帳記憶部２１９に存在すれば、折り畳み式携帯電話装置１００は第二の筐体２３の第二の表示部２７に、着信している発呼者の名前、顔画像を表示する。
【００４７】
折り畳み式携帯電話装置１００が着信を受信しているときに使用者が第二の筐体２３を開けば、開閉検知部２２１が状態を検出し折り畳み式携帯電話装置１００は通話を開始する。着信しているときに使用者が第二の筐体２３が開かなければ、折り畳み式携帯電話装置１００は第二の筐体２３の第二の表示部２７に「着信あり」と表示する。折り畳み式携帯電話装置１００が第二の筐体２を閉じた状態であって、且つ着信を受信していない状態である場合に、使用者が第二のキー操作部２１７を押すと、全体制御部１８は着信履歴を記憶部１９から読み出して第二の表示部２７に表示する。
【００４８】
折り畳み式携帯電話装置１００が着信履歴を複数有すれば、使用者が第二のキー操作部２１７を一回押す毎に、折り畳み式携帯電話装置１００は着信履歴データを順次表示する。
【００４９】
折り畳み式携帯電話装置１００が第二の表示部２７に記憶部１９から読み出した着信履歴を表示しているときに開閉検出部２２１が第二の筐体２３が開いたことを検出すると、全体制御部１８は、無線部２２０を用いて、表示していた相手の電話番号に発呼する。
【００５０】
また、本発明の実施例１の折り畳み式携帯電話装置１００は、筐体を閉じた状態で使用者が第二のキー操作部２１７を押して電話帳記憶部２１９から電話帳データを読み出し、第二の筐体２３の第二の表示部２７に表示する。
【００５１】
折り畳み式携帯電話装置１００が電話帳データを複数有すれば、使用者が第二のキー操作部２１７を一回押す毎に、折り畳み式携帯電話装置１００は電話帳のデータを順送りして表示する。そして、希望する相手が折り畳み式携帯電話装置１００に表示されたときに、使用者が第二の筐体２３を開くと、折り畳み式携帯電話装置１００は自動的に表示された相手の電話番号に発呼する。
【００５２】
図５は折り畳み式携帯電話装置１００が第二の筐体２３を閉じた状態で、着信する動作と発呼する動作を示すフローチャートである。
【００５３】
使用者が折り畳み式携帯電話装置１００の電源を入れると、無線部２２０が起動し、折り畳み式携帯電話装置１００は図示しない基地局との間で制御信号の間欠受信を行い、着信待ち受け状態になる（ステップＳ１）。
【００５４】
第二の筐体２３が閉じているときに折り畳み式携帯電話装置１００が着信を受信すると、スピーカー２２３は着信音を発し、折り畳み式携帯電話装置１００は第二の表示部２７に着信した発呼者電話番号などの着信表示をする（ステップＳ２）。
【００５５】
使用者が第二の筐体２３を開くと（ステップＳ３）、開閉検出部２２１は第二の筐体２３が開いたことを検出し、全体制御部１８は、無線制御部１９０に通話を開始させる（ステップＳ４）。
【００５６】
相手が終話するか、使用者が折り畳み式携帯電話装置１００の第二の筐体２３を閉じると終話し（ステップＳ５）、折り畳み式携帯電話装置１００はステップＳ１の着信待ち受け状態に戻る。
【００５７】
ステップＳ２で折り畳み式携帯電話装置１００が着信を受信しないときに、使用者が第二のキー操作部２１７を用いて、第二の表示部２７が電話帳データを表示するモードを選択すると（ステップＳ６）、電話帳記憶部２１９から電話帳データが読み出されて、第二の表示部２７に電話番号、名前、顔画像等の電話帳データが表示される（ステップＳ７）。
【００５８】
折り畳み式携帯電話装置１００が電話帳データを複数記憶しているときは、使用者が第二のキー操作部２１７を押す毎に電話帳データが順送りされる形で次々と表示されるので、第二の表示部２７に発呼したい相手が表示されるまで使用者は第二のキー操作部２１７を押す。
【００５９】
折り畳み式携帯電話装置１００が発呼したい相手を表示した状態で、使用者が第二の筐体２３を開くと（ステップＳ８）、開閉検出部２２１が第二の筐体２３が開いたことを検知して、全体制御部１８は、無線制御部１９０に、表示していた電話帳データの電話番号に自動的に発呼する制御を行う（ステップＳ９）。
【００６０】
相手が電話に出れば、折り畳み式携帯電話装置１００は通話が始まる（ステップＳ４）。折り畳み式携帯電話装置１００は終話操作がなされれば（ステップＳ５）、ステップＳ１の着信待ち受け状態に戻る。
【００６１】
図５のフローチャートのステップＳ２で折り畳み式携帯電話装置１００が着信を受信したきに、使用者が第二の筐体２３を開かず着信に応答しないと（ステップＳ３）、全体制御部１８は、第二の表示部２７に「着信あり」の表示を行う（ステップＳ１０）。
【００６２】
折り畳み式携帯電話装置１００が「着信あり」の表示をしているときに使用者が第二のキー操作部２１７を押すと、全体制御部１８は、第二の表示部２７に着信履歴を表示する（ステップＳ１１）。
【００６３】
折り畳み式携帯電話装置１００は、第二の表示部２７に、記憶部１９から読み出された着信した電話番号、着信した相手の名前または顔画像等の着信履歴を表示する（ステップＳ１２）。
【００６４】
折り畳み式携帯電話装置１００が着信履歴を表示しているときに、開閉検出部２２１が第二の筐体２３が開いたことを検出すると（ステップＳ１３）、折り畳み式携帯電話装置１００は表示している着信履歴の電話番号に発呼する（ステップＳ１４）。
【００６５】
このように、第二の筐体２３を閉じた状態で使用者が着信に応答しなかったとしても、第二の筐体２３を閉じたまま、使用者が第二のキー操作部２１７を押して、着信した相手の電話番号等の着信履歴を第二の表示部２７に表示してまず確認し、その後第二の筐体２３を開くという操作で簡単に電話をかけ直すことができる。
【００６６】
なお、着信した相手の電話番号、名前または顔画像を表示して相手を確認した結果、使用者は電話をかけ直さない場合もあることから、折り畳み式携帯電話装置１００が着信履歴を表示している状態で、使用者が第二のキー操作部２１７を所定時間、例えば１秒間、長押し操作することにより、図６のように着信した相手に自動的に発呼するか否かを使用者が選択できる選択画面を、折り畳み式携帯電話装置１００は第二の表示部２７に表示する。
【００６７】
そして、使用者が第二のキー操作部２１７を再び押すことにより、カーソル枠２８を自動発呼する側（ＹＥＳ）あるいは自動発呼をキャンセルする側（ＮＯ）に切り替えて、そのまま長押しすることにより、第二の筐体２３を閉じたまま折り畳み式携帯電話装置１００が自動的に発呼するのを個別的にキャンセルするようにしてもよい。
【実施例２】
【００６８】
次に、本発明の実施例２の折り畳み式携帯電話装置２００について、説明する。
【００６９】
図7は本発明の実施例２の折り畳み式携帯電話装置２００のブロック図である。
【００７０】
折り畳み式携帯電話装置２００は、図４で示した実施例１の構成に加えてさらに電話番号照合部４０を備えている。電話番号照合部４０は全体制御部１８の中に組み入れられた構成としても良いが、機能と構成を明確に説明するため、独立した機能ブロックとして示している。
【００７１】
なお、折り畳み式携帯電話装置２００の外観は既に説明した実施例１の折り畳み式携帯電話装置１００と同じであるので説明を省略する。
【００７２】
電話番号照合部４０は、折り畳み式携帯電話装置２００が着信を受信して表示部に表示している電話番号が電話帳記憶部２１９の電話帳データとして登録されているか対比して照合し、あるいは使用者が電話帳データを１件づつ読み出して表示部に表示している電話番号と対比して照合し、照合結果を全体制御部１８に伝える。
【００７３】
そして全体制御部１８は、着信した電話番号が電話帳データと一致するときは、折り畳み式携帯電話装置２００は、着信した電話番号が登録したメンバーからの着信であり自動発呼できることを示す図８のような表示と着信履歴の表示を交互に表示する。図８の表示または着信履歴の表示がされている状態で使用者が第二の筐体２３を開くと、折り畳み式携帯電話装置２００は表示した着信履歴の電話番号に自動的に発呼する。
【００７４】
なお、着信した電話番号が電話帳記憶部２１９の電話帳データと一致しないときは、折り畳み式携帯電話装置２００は図８の表示を行わず、使用者が第二の筐体２３を開いても自動的に発呼しないようにしている。
【００７５】
図９は本発明の実施例２の折り畳み式携帯電話装置２００の動作を示すフローチャートである。
【００７６】
なお、図５で示した本発明の実施例１のフローチャートと同じステップについては、同じステップ番号を表示して説明を省略する。
【００７７】
図９において、着信待ち受け状態で（ステップＳ１）、折り畳み式携帯電話装置２００が着信を受信したときに（ステップＳ２）、第二の筐体２３を開けずに使用者が着信に応答しないと（ステップＳ３）、着信した発呼者の電話番号は記憶部１９に記憶され、折り畳み式携帯電話装置２００は第二の表示部２７に「着信あり」の表示を行なう（ステップＳ１０）。
【００７８】
折り畳み式携帯電話装置２００が「着信あり」の表示をした状態で使用者が第二のキー操作部２１７を押すと、折り畳み式携帯電話装置２００は着信履歴を表示する指示を行なう（ステップＳ１１）。
【００７９】
そして、折り畳み式携帯電話装置２００は第二の表示部２７に着信した電話番号、着信した相手の名前または顔画像等の着信履歴を表示する（ステップＳ１２）。
【００８０】
折り畳み式携帯電話装置２００が着信した相手の電話番号を表示すると、全体制御部１８は電話番号照合部４０を用いて、表示している着信した相手の電話番号が折り畳み式携帯電話装置２００の電話帳記憶部２１９の電話帳データに登録されているかを照合する（ステップＳ１５）。
【００８１】
着信した相手の電話番号が電話帳データとして登録されていると、既に示した図８のように、折り畳み式携帯電話装置２００は、第二の表示部２７に、電話帳データに登録された登録メンバーからの着信であることを表示するとともに、このまま使用者が第二の筐体２３が開くと自動発呼する旨のメッセージを着信履歴と交互に表示する（ステップＳ１６）。
【００８２】
この状態で使用者が第二の筐体２３を開くと（ステップＳ１７）、折り畳み式携帯電話装置２００は表示していた着信履歴の電話番号に自動的に発呼する（ステップＳ１８）。
【００８３】
ステップＳ１７で第二の筐体２３を閉じたまま、使用者が第二のキー操作部２１７を用いて、自動発呼をキャンセルすると（ステップＳ１９）、折り畳み式携帯電話装置２００はステップＳ１の着信待ち受け状態に戻る。
【００８４】
本発明の実施例２の折り畳み式携帯電話装置２００は、第二の筐体２３を閉じた状態で着信履歴を表示すると、表示している電話番号が電話帳データに登録されているかどうかを電話番号照合部４０で照合して結果を提示する。
【００８５】
そして登録されていない着信相手であるときは、使用者が筐体を開いても折り畳み式携帯電話装置２００が自動発呼しないようにしているので、電話帳データに登録されていない相手に不用意に電話をかけてしまうことがないという利点がある。
【実施例３】
【００８６】
次に、本発明の実施例３の折り畳み式携帯電話装置３００について説明する。
【００８７】
図１０は本発明の実施例３の折り畳み式携帯電話装置３００を示すブロック図である。
【００８８】
折り畳み式携帯電話装置３００の外観は既に説明した実施例１の折り畳み式携帯電話装置１００と同じであるので、外観図とその説明は省略する。折り畳み式携帯電話装置３００は、実施例２の折り畳み式携帯電話装置２００の電話番号照合部４０の代わりに自動発呼用電話番号照合部５０を有している。
【００８９】
なお、全体制御部１８が自動発呼用電話番号照合部５０をその中に組み入れた構成としても良い。
【００９０】
自動発呼用電話番号照合部５０は、表示部に表示している電話番号が電話帳記憶部２１９の電話帳データの中の自動発呼用電話番号、すなわち使用者が筐体を開けたときに自動的に発呼して良い電話番号として登録されているかどうかを照合し、照合結果を全体制御部１８に伝える。
【００９１】
図１１は、本発明の実施例３の折り畳み式携帯電話装置３００の電話帳記憶部２１９に記憶された記憶内容の概念図である。
【００９２】
電話帳記憶部２１９は、記憶テーブル６０のアドレス６１毎に電話番号６２と、名前６３と、顔画像６４と、自動発呼可否情報６５とをワンセットのデータとして記憶する。
【００９３】
図１１では、使用者が予め筐体２３を開いたときに自動的に発呼して良い電話番号について、自動発呼用電話番号として○マークを付す。使用者が筐体２３を開いたときに自動的に発呼しない電話番号、例えば迷惑電話として登録された電話番号等には自動発呼しないことを示す×マークを付す。
【００９４】
迷惑電話の電話番号を電話帳データとして記憶してあるのは、予め迷惑電話として登録した電話番号からの着信があったときに折り畳み式携帯電話装置３００が着信を自動的に拒否する、いわゆる電話帳を用いた着信拒否機能のためである。
【００９５】
本発明の実施例３の折り畳み式携帯電話装置３００では、使用者が筐体を開くことによって折り畳み式携帯電話装置３００は自動発呼用電話番号に対してのみ自動発呼し、迷惑電話等の自動発呼用電話番号でない電話番号に対して自動的に発呼しないようにしている。
【００９６】
折り畳み式携帯電話装置３００が着信を受信すると、自動発呼用電話番号照合部５０は、着信した電話番号が筐体を開くことによって自動的に発呼してよい相手であるとして登録されているか否かを照合する。
【００９７】
着信した電話番号が自動発呼可の○マークの付された相手であれば、既に示した図８のように、折り畳み式携帯電話装置３００は、着信した電話番号が自動発呼可として登録されているメンバーであることを第二の表示部２７に表示する。そして、使用者が筐体２３が開くと折り畳み式携帯電話装置３００は自動的に発呼する。
【００９８】
上記の迷惑電話のように、着信した電話番号が自動発呼しない×マークの付いている相手のときは、使用者が筐体２３を開いても折り畳み式携帯電話装置３００は発呼しない。
【００９９】
このように、電話帳データに記憶されている電話番号の中で自動発呼可能とした自動発呼用電話番号についてだけ、使用者が筐体２３を開ける操作で折り畳み式携帯電話装置３００は自動的に発呼し、自動発呼用電話番号でない電話番号については、使用者が筐体２３を開けても折り畳み式携帯電話装置３００は自動的に発呼しない。
【０１００】
なお、上記の説明では、折り畳み式携帯電話装置３００が着信履歴を表示して自動的に発呼する場合を説明した。しかし、折り畳み式携帯電話装置３００が電話帳データを表示して自動的に発呼する場合は、自動発呼用電話番号照合部５０は表示部に表示している電話番号が自動発呼用電話番号かどうかをチェックし、自動発呼用電話番号のときだけ、使用者が筐体２３が開ける操作で自動的に発呼し、自動発呼用電話番号でないときは使用者が筐体２３を開けても自動的に発呼しないようにすることができる。
【実施例４】
【０１０１】
次に、本発明の実施例４の折り畳み式携帯電話装置４００について説明する。
【０１０２】
図１２は本発明の実施例４の折り畳み式携帯電話装置４００の外観図である。
【０１０３】
折り畳み式携帯電話装置４００は、回転軸４１を有する第一の筐体４２と、回転軸４１を回転中心として、Ｅ矢印のように水平方向に回転する第二の筐体４３とを備えている。回転軸４１の中には図示しない開閉検出部を有し、開閉検出部は第二の筐体４３が開いているのか閉じているのかを検出する。
【０１０４】
第二の筐体４３を第一の筐体４２の上に重ねても使用者は表示部４５を外部から見ることができるので、第二の筐体４３は第二の表示部を備えていない。
【０１０５】
図１３は第二の筐体４３を回転して、第一の筐体４２の上に重ねた状態の外観図である。
【０１０６】
なお、折り畳み式携帯電話装置４００の内部の構成は第二の筐体４３が一つの表示部４５しか有していない以外は、既に説明した実施例１ないし実施例３とほぼ同じであるので説明を省略する。
【０１０７】
また、第一のキー操作部１７、スピーカー２２３、マイクロフォン２２４等の各構成部分も既に説明した実施例１ないし実施例３と同じであることから、同一の部分については、同一の番号を付して説明を省略する。
【０１０８】
実施例４の折り畳み式携帯電話装置４００によれば、図１３のように、第二の筐体４３が閉じられた状態で折り畳み式携帯電話装置４００が着信を受信すると、折り畳み式携帯電話装置４００は着信した発呼者の電話番号を表示部４５に表示する。
【０１０９】
さらに、折り畳み式携帯電話装置４００は、着信した発呼者の電話番号が電話帳記憶部に予め登録してある電話番号か否かを照合し、登録してある電話番号と一致すれば登録してあることを示す表示を表示部２５で行い、使用者が第二の筐体４３を開くと自動的に発呼する。
【０１１０】
なお、折り畳み式携帯電話装置４００が図１３に示す表示をしているときに、使用者が第二のキー操作部２１７を用いて、カーソル枠を「発呼」から「キャンセル」に移して、使用者が第二の筐体４３を開いても折り畳み式携帯電話装置４００が発呼しないようにしてもよい。
【０１１１】
このように第一の筐体４２の上を第二の筐体４３が水平回転するタイプの折り畳み式携帯電話装置であっても本発明を適用することができる。
【０１１２】
また実施例１から実施例４では、開閉動作を回転によって実現した折り畳み式携帯電話装置を説明した。しかし、第一の筐体の上に第二の筐体をスライドさせる、いわゆるスライドタイプの携帯電話装置にも、折り畳み式携帯電話装置の一態様として本発明を適用することができる。スライドタイプの携帯電話装置の開閉検出部は、第一の筐体に対する第二の筐体の重なりの状態を検出して開閉を検出する。
【０１１３】
なお、上記の説明では、開閉検出部は、永久磁石２２２の接近を検出するホール素子２２１で構成される例を示した。しかし、第一の筐体２２に対して閉じている第二の筐体２３をヒンジ２１に内蔵したコイルバネのバネ力をボタンによって開放して第一の筐体２２と第二の筐体２３とが自動的に開閉するようにした折り畳み式携帯電話装置や、開閉用の駆動モーターで閉じていた第二の筐体２３を自動的に開くようにした折り畳み式携帯電話装置では、永久磁石２２２の接近を検出するホール素子２２１の代わりに、コイルバネのバネ力を解除するボタンや、開閉用の駆動モーターを動作させるスイッチを開閉検出部として用いることができる。
【産業上の利用可能性】
【０１１４】
以上のように、本発明は、着信履歴または電話帳の電話番号が読み出されて表示されている状態において、簡単な操作で自動的に発呼する折り畳み式携帯電話装置に適用できる。
【０１１５】
また、電話帳に登録されていない電話番号や、電話帳に登録されていても自動発呼する対象から除外されている電話番号については自動発呼しないように制限することができる折り畳み式携帯電話装置に適用することができる。
【図面の簡単な説明】
【０１１６】
【図１】本発明の実施例１の折り畳み式携帯電話装置の筐体を閉じた状態の外観図
【図２】本発明の実施例１の折り畳み式携帯電話装置の筐体を開いた状態の外観図
【図３】本発明の実施例１の折り畳み式携帯電話装置の断面図
【図４】本発明の実施例１の折り畳み式携帯電話装置のブロック図
【図５】本発明の実施例１の折り畳み式携帯電話装置の動作を示したフローチャート
【図６】本発明の実施例１の折り畳み式携帯電話装置の筐体を閉じた状態の外観図
【図７】本発明の実施例２の折り畳み式携帯電話装置のブロック図
【図８】本発明の実施例２の折り畳み式携帯電話装置の筐体を閉じた状態の外観図
【図９】本発明の実施例２の折り畳み式携帯電話装置の動作を示したフローチャート
【図１０】本発明の実施例３の折り畳み式携帯電話装置のブロック図
【図１１】本発明の実施例３の折り畳み式携帯電話装置の記憶部の記憶内容を示す図
【図１２】本発明の実施例４の折り畳み式携帯電話装置の筐体を開いた状態の外観図
【図１３】本発明の実施例４の折り畳み式携帯電話装置の筐体を閉じた状態の外観図
【図１４】従来の折り畳み式携帯電話装置の着信時のタイミングチャート
【符号の説明】
【０１１７】
１７  第一のキー操作部
１８  全体制御部
２１  ヒンジ
２２  第一の筐体
２３  第二の筐体
１９  記憶部
２５  第一の表示部
２７  第二の表示部
４０  電話番号照合部
５０  自動発呼用電話番号照合部
１９０  無線制御部
１９１  受信部
１９２  送信部
１９３  アンテナ
２１７  第二のキー操作部
２１９  電話帳記憶部
２２１  開閉検出部
２２２  磁石
２２３  スピーカー
２２４  マイクロフォン
【手続補正３】
【補正対象書類名】図面
【補正対象項目名】全図
【補正方法】変更
【補正の内容】
【図１】
2005009012.tif 000017
【図２】
2005009012.tif 000018
【図３】
2005009012.tif 000019
【図４】
2005009012.tif 000020
【図５】
2005009012.tif 000021
【図６】
2005009012.tif 000022
【図７】
2005009012.tif 000023
【図８】
2005009012.tif 000024
【図９】
2005009012.tif 000025
【図１０】
2005009012.tif 000026
【図１１】
2005009012.tif 000027
【図１２】
2005009012.tif 000028
【図１３】
2005009012.tif 000029
【図１４】
2005009012.tif 000030
【国際調査報告】
2005009012.tif 000031
2005009012.tif 000032
2005009012.tif 000033
2005009012.tif 000034